(57)【要約】【課題】テスター等の計器を用意しなくてもブレーカの１次側端子の電圧が確認できるとともに、どの端子まで電圧が印加されているのかを確認でき、確認の手間を大幅に軽減できるブレーカの電圧表示装置を提供する。【解決手段】１００Ｖ又は２００Ｖに電圧切換可能な単相３線式分電盤の分岐回路に配設される分岐ブレーカ３において、１次側端子４に２００Ｖの電圧が印加された場合はＬＥＤ２が点灯し、１次側端子４に１００Ｖの電圧が印加された場合はＬＥＤ１が点灯する電圧表示回路９を備えた。【選択図】　　　　図２
2004014301.tif 000002
【特許請求の範囲】
【請求項１】
１００Ｖ又は２００Ｖに電圧切換可能な単相３線式分電盤の分岐回路に配設されるブレーカにおいて、１次側端子に印加された電圧を識別可能に表示する表示装置を設けたことを特徴とするブレーカの電圧表示装置。
【請求項２】
前記ブレーカのハンドルをオフすると前記表示装置を動作させ、前記ブレーカのハンドルをオンすると前記表示装置を動作させないことを特徴とする請求項１に記載のブレーカの電圧表示装置。
【発明の詳細な説明】
【０００１】
【発明の属する技術分野】
本発明は、単相３線式分電盤に配設されるブレーカの１次側端子の電圧を表示する電圧表示装置に関する。
【０００２】
【従来の技術】
従来、図３に示すように単相３線式分電盤２１の内部に配設された分岐ブレーカ２３に印加する電圧を１００Ｖから２００Ｖ又は２００Ｖから１００Ｖに切り換えた際、１次側端子２４の電圧を確認するにはテスター等の計器を用いて測定していた。また、分岐ブレーカ２３の１次側端子２４まで電圧が印加されているのか２次側端子２５まで電圧が印加されているのかを確認する場合も同様にテスター等の計器を用いて確認していた。
【０００３】
【発明が解決しようとする課題】
そのため、分岐ブレーカの１次側端子の電圧を確認する場合や分岐ブレーカのどの端子まで電圧が印加されているのかを確認する場合に計器を準備しなければならないし、分岐ブレーカを１個ずつ確認しなければならず、非常に時間がかかっていた。
【０００４】
そこで上記問題点に鑑み、本発明の目的は、テスター等の計器を用意しなくてもブレーカの１次側端子の電圧が確認できるとともに、どの端子まで電圧が印加されているのかを確認でき、確認の手間を大幅に軽減できるブレーカの電圧表示装置を提供することである。
【０００５】
【課題を解決するための手段】
上記目的を達成するために、請求項１に記載の発明によれば、１００Ｖ又は２００Ｖに電圧切換可能な単相３線式分電盤の分岐回路に配設されるブレーカにおいて、１次側端子に印加された電圧を識別可能に表示する表示装置を設けたことを特徴とする。
【０００６】
請求項２に記載の発明によれば、請求項１に記載のブレーカの電圧表示装置において、ブレーカのハンドルをオフすると表示装置を動作させ、ブレーカのハンドルをオンすると表示装置を動作させないことを特徴とする。
【０００７】
【発明の実施の形態】
請求項１に記載の発明によれば、１００Ｖ又は２００Ｖに電圧切換可能な単相３線式分電盤の分岐回路に配設されるブレーカにおいて、１次側端子に印加された電圧を識別可能に表示する表示装置を設けたことにより、テスター等の計器を用意しなくてもブレーカの１次側端子の電圧が確認でき、確認の手間を大幅に軽減することができる。
【０００８】
請求項２に記載の発明によれば、請求項１に記載のブレーカの電圧表示装置において、ブレーカのハンドルをオフすると表示装置を動作させ、ブレーカのハンドルをオンすると表示装置を動作させないことにより、テスター等の計器を用意しなくても１次側端子又は２次側端子のどちらの端子まで電圧が印加されているのかを確認でき、確認の手間を大幅に軽減することができる。
【０００９】
【実施例】
本発明に係るブレーカの電圧表示装置の実施例を図１及び図２の添付図面に基づいて説明する。
【００１０】
単相３線式分電盤１は主幹ブレーカ２と複数の分岐ブレーカ３とこれらを接続する２本の電圧極の導電バーＬ１，Ｌ２と１本の中性極の導電バーＮを備えている。主幹ブレーカ２の２次側に接続された３本の導電バーＬ１，Ｎ，Ｌ２は主幹ブレーカ２の横方向に延びるように配設され、導電バーＬ１，Ｎ，Ｌ２を挟んで両側に複数の分岐ブレーカ３が並設されている。分岐ブレーカ３は１００Ｖ又は２００Ｖの電圧が印加されるように導電バーの電圧切換機構によって３本の導電バーから２本の導電バーが選択的に接続されている。
【００１１】
分岐ブレーカ３は、１次側端子４と２次側端子５とを備え、ハンドル６のオン・オフに連動して開閉する接点７が１次側端子４と２次側端子５間の電路８に設けられている。また、１次側端子４と接点７との間には表示装置を動作させるための電圧表示回路９が設けられている。
【００１２】
電圧表示回路９は、１次側端子４と接点７との間の２極間に並列に接続されたサージ吸収素子１０及び全波整流回路１１と、全波整流回路１１の出力端に抵抗Ｒ１を介して接続された定電圧回路１２と、定電圧回路１２から出力される基準電圧と全波整流回路１１から出力される直流電圧とを比較する比較回路１３と、比較回路１３の出力電圧を安定させるための平均値回路１４と、平均値回路１４からの出力電圧によりオンするトランジスタＴＲ１と、トランジスタＴＲ１のオンにより点灯する表示装置としてのＬＥＤ１と、トランジスタＴＲ１がオフの時にオンするトランジスタＴＲ２と、トランジスタＴＲ２のオンにより点灯する表示装置としてのＬＥＤ２とで構成されている。
【００１３】
この電圧表示回路９が１００Ｖに接続された場合と、２００Ｖに接続された場合を説明する。まず、電圧表示回路９は全波整流回路１１によって交流電圧を直流電圧に変換し、抵抗Ｒ１で直流電圧を減衰させて定電圧回路１２によって比較回路１３に一定の基準電圧を出力する。比較回路１３はこの基準電圧と全波整流回路１１から出力される直流電圧とを比較する。
【００１４】
ここで分岐ブレーカ３が電圧切換機構によって２００Ｖに接続されている場合、即ち、１次側端子４の２極間が２００Ｖの場合は、直流電圧が基準電圧より高くなるために比較回路１３からＨレベルの信号が出力され、この信号は平均値回路１４を通り、トランジスタＴＲ１をオンさせる。トランジスタＴＲ１のオンによりＬＥＤ１が点灯する。この時、トランジスタＴＲ２はオンせず、ＬＥＤ２は点灯しない。
【００１５】
また、１次側端子４の２極間が１００Ｖの場合は、直流電圧が基準電圧より低くなるために比較回路１３からＬレベルの信号が出力され、トランジスタＴＲ１はオンせず、ＬＥＤ１は点灯しない。トランジスタＴＲ１がオンしないので、トランジスタＴＲ２がオンし、ＬＥＤ２が通電して点灯する。
【００１６】
このＬＥＤ１とＬＥＤ２は分岐ブレーカ３のハンドル６の近傍等の見やすい位置に設けられている。ＬＥＤ１は緑色を使用し、ＬＥＤ２は赤色を使用する等、表示色を変えると識別しやすい。また、２色発光のものを使用すると配置スペースを小さくすることができ、小型のブレーカに用いる場合に良好である。
【００１７】
このように１次側端子４の２極間が２００Ｖの場合はＬＥＤ１が点灯し、１００Ｖの場合はＬＥＤ２が点灯するため、１次側端子４に印加された電圧を知ることができる。尚、ブレーカ３のハンドル６をオフにした状態で確認できるため、間違って電圧切換を行ってもブレーカ３に接続される負荷機器１５を保護することができる。また、主幹ブレーカ２の中性線欠相保護機能によって中性線Ｎの欠相を検出するためにはＬ１−Ｎ間の電圧とＬ２−Ｎ間の電圧を測定するので負荷機器１５を接続した分岐ブレーカ３のハンドル６をオンしなければならないが、この分岐ブレーカ３はハンドル６をオフの状態で１００Ｖに接続してもＬＥＤ１とＬＥＤ２が点灯しない場合、通電していないことがわかるので中性線Ｎの欠相を知ることができる。
【００１８】
また、電圧表示回路１０は分岐ブレーカ３の接点７を開閉するためのハンドル６のオン・オフに連動して回路をオフ・オンするスイッチ１６が設けられている。このため、ハンドル６をオンするとスイッチ１６がオフして電圧表示回路９が動作しない。よって分岐ブレーカ３がオンでＬＥＤ１とＬＥＤ２が消灯した際は、接点７がオンしているので２次側端子５に電圧が印加されたことを確認することができる。また、分岐ブレーカ３がオンの際は電圧表示装置９が動作しないので電力を消費させないで済むし、分岐ブレーカ３がトリップしてオフした際は電圧表示回路９が動作してＬＥＤ１又はＬＥＤ２が点灯するので分電盤１が暗い場所に設置されている場合でもトリップした分岐ブレーカ３をすぐに見つけることができる。
【００１９】
尚、表示装置を点灯させるための回路について限定はなく、本発明の趣旨を逸脱しない範囲で適宜変更可能である。
【００２０】
【発明の効果】
以上説明したように、請求項１に記載の発明によれば、１００Ｖ又は２００Ｖに電圧切換可能な単相３線式分電盤の分岐回路に配設されるブレーカにおいて、１次側端子に印加された電圧を識別可能に表示する表示装置を設けたことにより、テスター等の計器を用意しなくてもブレーカの１次側端子の電圧が確認でき、確認の手間を大幅に軽減することができる。また、１００Ｖに接続した際に中性線が欠相すると通電がされず表示装置が動作しないので欠相を知ることができるという効果がある。
【００２１】
請求項２に記載の発明によれば、請求項１に記載のブレーカの電圧表示装置において、ブレーカのハンドルをオフすると表示装置を動作させ、ブレーカのハンドルをオンすると表示装置を動作させないことにより、テスター等の計器を用意しなくても１次側端子又は２次側端子のどちらの端子まで電圧が印加されているのかを確認でき、確認の手間を大幅に軽減することができる。また、ブレーカのオンの間は電圧表示回路による電力の消費をなくすことができる。更に分岐ブレーカがトリップしてオフした際は表示装置が点灯するので分電盤が暗い場所に設置されている場合でもトリップした分岐ブレーカをすぐに見つけることができるという効果がある。
【図面の簡単な説明】
【図１】本発明に係る単相３線式分電盤を示す正面図である。
【図２】本発明に係る分岐ブレーカの回路図である。
【図３】従来の単相３線式分電盤を示す正面図である。
【符号の説明】
３…分岐ブレーカ
４…１次側端子
５…２次側端子
９…電圧表示回路
１１…全波整流回路
１２…定電圧回路
１３…比較回路
１４…平均値回路
１６…スイッチ
ＴＲ１，ＴＲ２…トランジスタ
ＬＥＤ１，ＬＥＤ２…表示装置
【図１】
2004014301.tif 000003
【図２】
2004014301.tif 000004
【図３】
2004014301.tif 000005